(57)【要約】【課題】インダクタンス成分を抑制しつつ、リップル電圧を低減することが可能な電源装置の出力回路構造を提供する。【解決手段】出力回路１は、二次巻線６の一端に整流ダイオード７の第一端を接続し、二次巻線６の他端に整流ダイオード８の第一端を接続すると共に、整流ダイオード７，８の第二端どうしを接続した回路ループを有し、整流ダイオード７，８の第二端どうしを接続する線路部分50に対して、短絡線路である導電性機構バー２を並列に設けて構成される。このような出力回路１に対して、整流ダイオード８からの出力電流の全てが導電性機構バー２を通って線路部分50を流れるように、当該線路部分50に切断部51を設ける。【選択図】図１
2008236837.tif 000002
【特許請求の範囲】
【請求項１】
一次巻線と二次巻線とを磁気的に結合してなるトランスの出力回路を構成し、
この出力回路は、前記二次巻線の一端に第１の整流部の第一端を接続し、前記二次巻線の他端に第２の整流部の第一端を接続すると共に、前記第１および第２の整流部の第二端どうしを接続した回路ループを有し、
前記第１および第２の整流部の第二端どうしを接続する線路部分に対して、短絡線路を並列に設けてなる電源装置の出力回路構造において、
前記第１および第２の整流部からの出力電流の全てが前記短絡線路を通って前記線路部分に流れるように、当該線路部分に切断部を設けたことを特徴とする電源装置の出力回路構造。
【請求項２】
前記短絡線路を少なくとも前記二次巻線に近接させて設けたことを特徴とする請求項１記載の電源装置の出力回路構造。
【請求項３】
前記短絡線路は導電性のバー部材であることを特徴とする請求項１又は２記載の電源装置の出力回路構造。
【請求項４】
一次巻線と二次巻線とを磁気的に結合してなるトランスの出力回路を構成し、
この出力回路は、前記二次巻線の一端に第１の整流部の第一端を接続し、前記二次巻線の他端に第２の整流部の第一端を接続すると共に、前記第１および第２の整流部の第二端どうしを接続した回路ループを有し、
前記第１および第２の整流部の第二端どうしを接続する線路部分に対して、短絡線路を並列に設けてなる電源装置の出力回路構造において、
前記線路部分と前記短絡線路とにより形成される空間部を、導電性部材で塞ぐように構成したことを特徴とする電源装置の出力回路構造。
【請求項５】
前記導電性部材を少なくとも前記二次巻線に近接させて設けたことを特徴とする請求項４記載の電源装置の出力回路構造。
【発明の詳細な説明】
【技術分野】
【０００１】
本発明は、トランスを備えた電源装置の出力回路に生じるインダクタンス成分を抑制可能するために、出力回路の回路ループ中に短絡線路を設けた電源装置の出力回路構造に関する。
【背景技術】
【０００２】
図６に、従来のコンバータ回路例としてのハーフブリッジコンバータ回路を示す。トランス４の一次側回路は、入力電源100の両端間に接続するコンデンサ101，101や、例えばＭＯＳＦＥＴなどからなるスイッチング素子103，104などで構成されており、これらがトランス４の一次巻線５に接続されている。一方、トランス４の二次側回路としての出力回路110は、チョークコイル15や、整流ダイオード７，８や、平滑コンデンサ16などで構成されており、これらがトランス４の二次巻線６（６ａ，６ｂ）に接続されている。そして、図示しない例えばＰＷＭ制御ＩＣがスイッチング素子103，104のゲートに接続され、これらに駆動信号を与えて交互にスイッチング動作させることにより、一次側の入力電源100から所望の電圧を取り出して二次側の出力端子10，11に接続された負荷（図示せず）に出力電力を供給する。
【０００３】
大電流出力スイッチング電源では、出力整流素子としての整流ダイオード７，８をそれぞれ複数並列接続して使用する。出力１．５ｋｗ、出力電圧５Ｖを例にすると、例えば特許文献１に示されるように、TO-3P形状で４０Ｖ６０Ａのショットキーダイオード素子を６並列程度の接続が必要となる。つまりここでは、一次巻線５と二次巻線６とを磁気的に結合してなるトランス４の出力回路110として、二次巻線６の一端に第１の整流部である整流ダイオード７のアノード端子（第一端）を接続し、二次巻線６の他端に第２の整流部である別な整流ダイオード８のアノード端子が接続される。
【０００４】
図６の回路を装置した状態を示したものが図８の機構図である。同図に示す構造は、本出願人が先に出願した特願２００６−２６０４１５と同一のものであり、トランス４を含む出力回路110の部品実装状態を示している。
【０００５】
トランス４の二次巻線６側には、第１および第２の整流部として並列接続された複数の整流ダイオード７，８と、平滑回路部品としてのチョークコイル15と平滑コンデンサ16が接続され、大電流が流れる出力回路には出力端子10，11として出力バーが使用されている。プリント基板12には、６個の整流ダイオード素子を実装するための多数のスルーホールが設けられている。当該整流ダイオード７，８は、１素子当たり２本のアノード端子と１本のカソード端子を備えている。プリント基板12に設けられたスルーホールのうち、整流ダイオード７，８のアノード端子が挿入接合されるスルーホールは相互に銅箔で連続しており、カソード端子が挿入接合されるスルーホールも相互に銅箔で連続して形成されている。また、プリント基板12の両端近くには、プリント基板12と薄板18と第１のバスバー13とを三層構造にして機械的に結合するためのビス孔（図示せず）が２箇所に設けられている。
【０００６】
前記一方の出力端子10は、整流ダイオード７，８の背面に形成した各カソード端子と電気的かつ熱的に接続する受熱部17と共に、第２のバスバー21を形成している。この受熱部17は、整流ダイオード７，８に対応して左右に対をなすように設けられ、整流ダイオード７，８のカソード端子どうしを電気的に接続するために、受熱部17，17の基端部が連結部23で連結される。これにより、第２のバスバー21は、受熱部17，17と連結部23とにより、電源装置の略中央に配設されたチョークコイル15を三方から取り囲むように配置される。さらに連結部23は、各コンデンサ16の一端に接続するコンデンサ取付部25を経て、前記出力端子10に繋がっており、これにより第２のバスバー21は、整流ダイオード７，８のカソード端子から出力端子10に至る出力電圧正極側の配線路を形成している。
【０００７】
また他方の出力端子11は、各コンデンサ16の他端に接続するコンデンサ取付部26や、チョークコイル15の他端に接続するチョークコイル取付部28と共に、第３のバスバー29を形成している。チョークコイル15の一端は、前記トランス４の二次巻線６の中間タップに接続され、これにより第３のバスバー29は、チョークコイル15の他端から出力端子11に至る出力電圧負極側の配線路を形成している。
【０００８】
プリント基板12と第１のバスバー13との間に薄板18を挟んで結合し、薄板18の両側に設けられた接合端子をプリント基板12のスルーホールに挿入する。また、整流ダイオード７（８）の端子を所定の姿勢でスルーホールに挿入する。ここで、整流ダイオード７（８）のアノード端子と薄板18の接合端子が挿入されるスルーホールは同一であり、半田付け作業により、薄板18は整流ダイオード７（８）のアノード端子と電気的に接続されることになる。
【０００９】
第１のバスバー13のプリント基板12への結合は、薄板18をプリント基板12に半田付けにより接合した後、プリント基板12と第１のバスバー13との間に薄板18を挟んでビス27とナットで機械的に結合される。このことにより薄板18の表面と第１のバスバー13の裏面とは密着させられることから、薄板18と第１のバスバー13とは低いインピーダンスをもって一体化される。また、第１のバスバー13の一端には、他の部品や機器と接続するための端子部24が形成されているので、整流ダイオード７，８に各々対応して設けた第１のバスバー13の端子部24を、トランス４の二次巻線６の一端と他端にそれぞれ接続することにより、トランス４の二次巻線６から直接第１のバスバー13に電流を流すことができる。
【００１０】
図６のハーフブリッジコンバータ回路におけるスイッチング素子103，104がターンオフした時の整流ダイオード７，８以降のインダクタンス成分を考慮した等価回路を図７に示す。同図中、ｌ1を線路のインダクタンス成分、ｒ１を線路の抵抗成分とすると、同図に示す電流回路ループのインダクタンス成分Ｌr1は次式となる。
【００１１】
【数１】
2008236837.tif 000003
【００１２】
また、図６のハーフブリッジコンバータ回路の動作波形例を図９に示す。同図中、ＶS2はスイッチング素子104のソース−ドレイン間電圧を表し、ＩTは一次巻線５へ流入する電流を表し、Ｅは入力電源100から供給される入力電圧値を表し、Ｓ１はスイッチング素子103を表し、Ｓ２はスイッチング素子104を表し、ＴONは電圧振動又は電流振動が治まってから、次のスイッチング素子103，104がオンするまでの安定時間幅を表す。当該動作波形から、スイッチング素子103，104のターンオフ時に電圧振動や電流振動が発生し、効率の悪化や制御範囲の低下を来すことが分かる。
【００１３】
こうした振動の抑制には、トランス４の巻線構造で、その一次巻線５と二次巻線６との間の結合を上げてリーケージを低減し、出力回路110における整流ループ長を最小限に抑え、一次巻線５間に抵抗とコンデンサを直列接続し、振動をロスさせて抑制している。
【００１４】
特に電源製品外形の制約で実装上、上記特許文献１のように電源の長手方向に直列実装を行なう場合、出力回路110における電流の流れは、トランス４の二次巻線６→整流ダイオード７，８→コンデンサ16になるため、図６に示すようなブリッジコンバータ回路を例にとると、整流部のダイオード実装は２列になる。トランス４の二次側の出力ループは整流ダイオード７，８の後のループになる。このループ長が大きくなると、整流ループインダクタンスが増加し、ターンオフ時の電圧振動が大きくなり、トランス４の一次巻線電流の振動も増え、その結果、損失の増加，出力電圧範囲の悪化，ノイズ増加が起こる。
【００１５】
こうした問題に対し、本出願人は先に出願した特願２００７−１７９２８で、図１０に示すような回路と、図１２に示すような出力回路構造を提案している。この図１０の回路と、前述した図６の回路との相違点は、整流ダイオード７，８のカソードを互いに接続する線路とは別に、整流ダイオード７，８のカソードどうしを接続する短絡線路としての導電性機構バー２が設けられていることにある。すなわち、出力回路110は、整流ダイオード７，８のカソードを互いに接続する線路が並列に２本形成される。
【００１６】
図６のハーフブリッジコンバータ回路におけるスイッチング素子103，104がターンオフした時に、整流ダイオード７，８以降のインダクタンス成分を考慮した等価回路を図７に示す。同図中、ｌ1を例えば回路パターンなどにより構成される線路のインダクタンス成分、ｒ１を例えば回路パターンなどにより構成される線路の抵抗成分とし、ｌ2を導電性機構バー２により構成される線路のインダクタンス成分、ｒ２を導電性機構バー２により構成される線路の抵抗成分とすると、同図に示す電流回路ループのインダクタンスＬr2は次式の数式２となる。数式２において、ｌ2＜＜Ｌr1とすればインダクタンスＬr2をｌ2にできる。
【００１７】
【数２】
2008236837.tif 000004
【００１８】
なお、Ｌr1は例えば回路パターンなどにより構成される線路のみに関する電流回路ループのインダクタンス成分であり、上記数式１で表される。
【００１９】
図１０の回路を装置した状態を示したものが図１２の機構図である。同図に示す構造は、図８で示す従来の出力回路110と略同様の組立体に導電性機構バー２を追加したものであり、トランス４を含む出力回路１の部品実装状態を示している。
【００２０】
導電性機構バー２は、例えば扁平板状の金属（銅等）からなる２本の接続部２ａ，２ａと、これら各接続部２ａ，２ａを接続する例えば両端が階段状に折曲成形された板状の金属（銅等）からなる導電性バー２ｂとから構成される。導電性機構バー２は、整流ダイオード７，８のカソード端子を短絡接続するものであるため、その装着手法としては、例えば、整流ダイオード７，８のカソード端子と電気的に接続された放熱板を備えた整流ダイオード７，８の裏面に接続部２ａ，２ａをそれぞれ共締めし、これらの接続部２ａ，２ａどうしを別の導電性バー２ｂでネジ螺着等により接続すればよい。また、導電性機構バー２を、整流ダイオード７，８とトランス４の二次巻線６とを電気的に接続する経路に沿った状態で構成すれば、ループ面積を最小にしてインダクタンス成分ｌ2を小さくすることができ、効果的にインダクタンス成分Ｌr2を抑制できる。
【特許文献１】特開２００６−２１０５１６号公報
【発明の開示】
【発明が解決しようとする課題】
【００２１】
しかし、上述した図１０や図１２の電源装置では、次のような問題点を生じる。
【００２２】
電源装置は、限られた筐体内のスペースに各種部品を効率よく実装する必要があることから、例えば第２のバスバー21は、受熱部17，17と連結部23とにより中央部を切り欠いた形状とせざるを得ない。そのため、こうした受熱部17，17や連結部23と、インダクタンス抑制用の導電性機構バー２とにより、回路上は同電位であるがループが形成され、それにより出力電圧に重畳するリップル成分が大きくなる。また、こうしたループ接続により、インピーダンスが高くなる問題も生じる
本発明は上記の各問題点に着目してなされたもので、インダクタンス成分を抑制しつつ、リップル電圧を低減することが可能な電源装置の出力回路構造を提供することを、その目的とする。
【００２３】
また本発明の別な目的は、出力電流が流れる線路のインピーダンスを低減できる電源装置の出力回路構造を提供することにある。
【課題を解決するための手段】
【００２４】
本発明の請求項１における電源装置の出力回路構造は、一次巻線と二次巻線とを磁気的に結合してなるトランスの出力回路を構成し、この出力回路は、前記二次巻線の一端に第１の整流部の第一端を接続し、前記二次巻線の他端に第２の整流部の第一端を接続すると共に、前記第１および第２の整流部の第二端どうしを接続した回路ループを有し、前記第１および第２の整流部の第二端どうしを接続する線路部分に対して、短絡線路を並列に設けてなる電源装置の出力回路構造において、前記第１および第２の整流部からの出力電流の全てが前記短絡線路を通って前記線路部分に流れるように、当該線路部分に切断部を設けている。
【００２５】
上記構成において、請求項２における電源装置の出力回路構造は、前記短絡線路を少なくとも前記二次巻線に近接させて設けている。
【００２６】
また、請求項３における電源装置の出力回路構造は、前記短絡線路が導電性のバー部材であることを特徴とする。
【００２７】
本発明の請求項４における電源装置の出力回路構造は、一次巻線と二次巻線とを磁気的に結合してなるトランスの出力回路を構成し、この出力回路は、前記二次巻線の一端に第１の整流部の第一端を接続し、前記二次巻線の他端に第２の整流部の第一端を接続すると共に、前記第１および第２の整流部の第二端どうしを接続した回路ループを有し、前記第１および第２の整流部の第二端どうしを接続する線路部分に対して、短絡線路を並列に設けてなる電源装置の出力回路構造において、前記線路部分と前記短絡線路とにより形成される空間部を、導電性部材で塞ぐように構成している。
【００２８】
上記構成において、請求項５における電源装置の出力回路構造は、前記導電性部材を少なくとも前記二次巻線に近接させて設けている。
【発明の効果】
【００２９】
請求項１の発明によれば、例えば回路実装上の制約により回路ループ長が長くなる場合であっても、短絡線路の接続によって等価的にインダクタンス成分の並列回路を構成することにより、回路ループに生じるインダクタンス成分の合計値を、トランス単体の持つインダクタンスに近い値に最小限に抑制できる。しかも、本来線路部分と短絡線路により形成されていた同電位のループ接続が、切断部によって強制的に遮断されて無くなるので、第１および第２の整流部の第二端から短絡線路を経て線路部分に至る出力電流の経路が単独になり、出力電圧に重畳するリップル成分が低下する。その結果、インダクタンス成分を抑制しつつ、リップル電圧を低減することが可能になる。
【００３０】
請求項２の発明によれば、二次巻線と短絡線路とを含む回路ループの面積を小さくしてインダクタンス成分を小さくすることができ、効果的にインダクタンス成分を抑制すると共に、リップル電圧の低減を図ることができる。
【００３１】
請求項３の発明によれば、短絡線路に大電流が流れても損失を少なくすることができ、低損失の出力回路を実現できる。
【００３２】
請求項４の発明によれば、例えば回路実装上の制約により回路ループ長が長くなる場合であっても、短絡線路の接続によって等価的にインダクタンス成分の並列回路を構成することにより、回路ループに生じるインダクタンス成分の合計値を、トランス単体の持つインダクタンスに近い値に最小限に抑制できる。しかも、本来は線路部分と短絡線路により形成されていた同電位のループ接続が、導電性部材によって強制的に塞がれて無くなるので、第１および第２の整流部の第二端から短絡線路を経て線路部分に至る出力電流の経路が単独になり、出力電圧に重畳するリップル成分が低下する。その結果、インダクタンス成分を抑制しつつ、リップル電圧を低減することが可能になる。また、線路部分や短絡線路だけでなく導電性部材に出力電流が流れるので、その分だけ出力電流が流れる線路のインピーダンスが低下する。
【００３３】
請求項５の発明によれば、二次巻線と短絡線路とを含む回路ループの面積を小さくしてインダクタンス成分を小さくすることができ、効果的にこのインダクタンス成分を抑制できる。
【発明を実施するための最良の形態】
【００３４】
以下、本発明における電源装置の出力回路構造について、添付図面を参照しながら好ましい実施形態を説明する。なお、従来例で示したものと同一箇所には同一符号を付し、共通する説明は重複を避けるため極力省略する。
【実施例１】
【００３５】
図１は、本発明の第１実施例における電源装置の回路構成を示したものである。この図１における出力回路１は、整流ダイオード７，８のカソード端子どうしを接続する線路部分50に、この線路部分50を通した電流の流れを遮断する切断部51を設けている点が注目される。切断部51は、整流ダイオード７，８のカソード端子からの出力電流の全てが、短絡線路である導電性機構バー２を通って線路部分から出力端子10に流れるように、整流ダイオード７，８のカソード端子から導電性機構バー２の接続点までの間の線路部分50にではなく、導電性機構バー２と同電位のループを形成する線路部分50に設ける必要がある。なお、それ以外の出力回路１の構成は、従来例で示した出力回路110と全く共通している。
【００３６】
図２は、図１の回路構成を実現する電源装置の構造を示したものである。同図において、トランス４は入力電圧が断続的に印加される一次巻線５と二次巻線６とを磁気的に結合して構成される。また、電源装置の筺体（図示せず）中央部に位置するトランス４の後方には、前記出力回路１を構成するチョークコイル15が並設される。チョークコイル15の一端は、導電性の連結金具53を経由してトランス４の二次巻線６の中間タップに連結される。また、チョークコイル15の他端は、別な導電性の連結金具54を経由して出力端子11を一体的に形成した第３のバスバー29に連結される。この第３のバスバー29は、出力端子11の他に、各コンデンサ16の他端に接続するコンデンサ取付部26を一体的に有し、チョークコイル15の他端から出力端子11に至る出力電圧負極側の配線路を形成している。
【００３７】
チョークコイル15の左右両側には、それぞれ複数の整流ダイオード素子を並列接続してなる第１の整流部たる整流ダイオード７と、第２の整流部たる整流ダイオード８が、互いに向かい合う状態に配置される。各々の整流ダイオード素子は、従来例でも説明したように第一端であるアノード端子と、第二端であるカソード端子とを有し、整流ダイオード７，８のアノード端子が、二次巻線６の一端と他端にそれぞれ接続した第１のバスバー13，13に接続される。
【００３８】
一方、整流ダイオード７，８のカソード端子から出力端子10に至る出力電圧正極側の配線路を形成する第２のバスバー21は、整流ダイオード７，８の背面に形成した各カソード端子と電気的かつ熱的に接続する受熱部17，17と、出力端子10およびコンデンサ取付部25を一体的に形成した端子部56と、受熱部17の基端部と端子部56との間を連結する連結部23が、各々別々の部品で構成される。受熱部17は板状で、整流ダイオード７，８の背面が、電源装置の左右外側に向いて配設されている関係で、受熱部17も縦置きに配置される。また受熱部17，17は、整流ダイオード７，８と接続した反対側の外面に、熱伝導性に優れた部材からなる放熱フィン57が配設される。これにより、整流ダイオード７，８からの熱を放熱フィン57に速やかに伝えて、この放熱フィン57を通過する冷風と効率よく熱交換することが可能になる。
【００３９】
各受熱部17の基端部には、連結部23との接続を可能にするタップ孔付きの接続部58が形成されるが、本実施例における連結部23は、整流ダイオード７のカソード端子に接続する一方の受熱部17の接続部58と端子部56との間を連結するものの、整流ダイオード８のカソード端子に接続する他方の受熱部17の接続部58には連結されておらず、この他方の受熱部17と連結部23との間に切断部51が設けられている。これにより、他方の受熱部17から連結部23を経由して出力端子10に流れる電流経路が遮断される。
【００４０】
他方の受熱部17から出力端子10に至る電流経路は、各受熱部17，17の基端部どうしを接続する導電性機構バー２により実現する。この導電性機構バー２の構造やその機能は、従来例で説明した通りなので、再度説明するのは省略するが、前記切断部51が他方の受熱部17と連結部23との間に設けられている関係で、受熱部17，17，連結部23および導電性機構バー２による同電位のループ形成が回避され、整流ダイオード８のカソード端子からの全ての出力電流は、他方の受熱部17から、導電性機構バー２，一方の受熱部17，連結部23を順に通過して出力端子10に流れ、また整流ダイオード７のカソード端子からの全ての出力電流も、一方の受熱部17から連結部23を通過して出力端子10に流れる。そのため、各整流ダイオード７，８からの電流経路が一つに規定され、トランス４の二次巻線６から整流ダイオード７，８を通して整流された出力電圧が発生した場合に、その出力電圧に重畳するリップル成分を低減できる。また、導電性機構バー２によって、トランス４の二次巻線６と、整流ダイオード７，８と、受熱部17，17と、導電性機構バー２を含む回路ループの面積を小さくすることで、インダクタンス成分の抑制を図ることができる。
【００４１】
このように本実施例では、一次巻線５と二次巻線６とを磁気的に結合してなるトランス４に出力回路１を設け、この出力回路１が、二次巻線６の一端に整流ダイオード７の第一端を接続し、二次巻線６の他端に整流ダイオード８の第一端を接続すると共に、整流ダイオード７，８の第二端どうしを接続した回路ループを有し、整流ダイオード７，８の第二端どうしを接続する線路部分50に対して、短絡線路である導電性機構バー２を並列に設けてなる電源装置の出力回路構造において、整流ダイオード８（または整流ダイオード７）からの出力電流の全てが導電性機構バー２を通って線路部分50を流れるように、当該線路部分50に切断部51を設けている。
【００４２】
そのため、例えば回路実装上の制約により回路ループ長が長くなる場合であっても、導電性機構バー２の接続によって等価的にインダクタンス成分の並列回路を構成することにより、回路ループに生じるインダクタンス成分の合計値を、トランス４単体の持つインダクタンスに近い値に最小限に抑制できる。しかも、本来は線路部分50と導電性機構バー２とにより形成されていた同電位のループ接続が、切断部51によって強制的に遮断されて無くなるので、整流ダイオード８の第二端から導電性機構バー２を経て線路部分に至る出力電流の経路が単独になり、出力電圧に重畳するリップル成分が低下する。その結果、インダクタンス成分を抑制しつつ、リップル電圧を低減することが可能になる。
【００４３】
また、本実施例の出力回路１では、導電性機構バー２を少なくとも二次巻線６に近接させて設けている。
【００４４】
このようにすると、二次巻線６と導電性機構バー２とを含む回路ループの面積を小さくしてインダクタンス成分を小さくすることができる。従って、ループ面積を最小にしてインダクタンス成分を小さくすることができ、効果的にインダクタンス成分を抑制することができる。
【００４５】
また本実施例の出力回路１では、前記短絡線路は導電性のバー部材からなる導電性機構バー２であることを特徴とする。
【００４６】
このようにすると、短絡線路に大電流が流れても損失を少なくすることができる。従って、損失を抑えてインダクタンス成分を抑制することができる。
【実施例２】
【００４７】
図３は、本発明の第２実施例における電源装置の回路構成を示したものである。この図３における出力回路80は、整流ダイオード７，８のカソード端子どうしを接続する線路部分50と、導電性機構バー２とによる形成される回路ループ内の空間部を、斜線部で示す導電性部材81で塞いだ点が注目される。これにより、上記回路ループは必然的に存在しなくなり、整流ダイオード７，８からの出力電流が、全て導電性機構バー２から導電性部材81を経て線路部分50に流れることとなる。なお、それ以外の出力回路80の構成は、従来例で示した出力回路110（図６参照）と全く共通している。
【００４８】
図４および図５は、図３の回路構成を実現する電源装置の構造を示したものである。これらの各図において、従来例で示した図８の構造と相違する点は、何れも線路部分50である整流ダイオード７のカソード端子に接続する一方の受熱部17と、整流ダイオード８のカソード端子に接続する他方の受熱部17と、連結部23とにより形成されるＵ字状の空間部を塞ぐように、板状の導電性部材81が第２のバスバー21の裏面に配設されていることにある。導電性部材81は、その電気抵抗が極力低下しないように、孔や溝などが存在しない中実なベタ板であることが望ましいが、第２のバスバー21への取付け用の孔などが多少存在しても構わない。また、放熱性を高めるためのフィンを、導電性部材81に対して一体的に形成してもよい。この導電性部材81は、ねじ止めまたは溶接によって第２のバスバー21に取付け固定される。
【００４９】
また本実施例では、トランス４の二次巻線６の近傍に位置する導電性部材81の一部が、導電性機構バー２として機能する。そのため、その一部がトランス４の二次巻線６の近傍に位置するように、上記導電性部材81を第２のバスバー21に取付けるだけで、導電性機構バー２としての取付けも同時に完了し、独立した導電性機構バー２を設ける必要もない。勿論、独立した導電性機構バー２が予め設けられていれば、その導電性機構バー２と線路部分50とにより構成される空間部を、導電性部材81によって塞げばよい。なお、それ以外の電源装置の機構的な構成は、従来例で示したものと全く共通している。
【００５０】
このように本実施例では、一次巻線５と二次巻線６とを磁気的に結合してなるトランス４に出力回路80を設け、この出力回路80が、二次巻線６の一端に整流ダイオード７の第一端を接続し、二次巻線６の他端に整流ダイオード８の第一端を接続すると共に、整流ダイオード７，８の第二端どうしを接続した回路ループを有し、整流ダイオード７，８の第二端どうしを接続する線路部分50に対して、短絡線路である導電性機構バー２を並列に設けてなる電源装置の出力回路構造において、線路部分50と導電性機構バー２とにより形成される空間部を、導電性部材81で塞ぐように構成している。
【００５１】
そのため、例えば回路実装上の制約により回路ループ長が長くなる場合であっても、導電性機構バー２の接続によって等価的にインダクタンス成分の並列回路を構成することにより、回路ループに生じるインダクタンス成分の合計値を、トランス４単体の持つインダクタンスに近い値に最小限に抑制できる。しかも、本来は線路部分50と導電性機構バー２とにより形成されていた同電位のループ接続が、導電性部材81によって強制的に塞がれて無くなるので、整流ダイオード７，８の第二端から導電性機構バー２を経て線路部分50に至る出力電流の経路が単独になり、出力電圧に重畳するリップル成分が低下する。その結果、インダクタンス成分を抑制しつつ、リップル電圧を低減することが可能になる。また、線路部分50や導電性機構バー２だけでなく導電性部材81にも出力電流が流れるので、その分だけ出力電流が流れる線路のインピーダンスが低下する。
【００５２】
また、本実施例の出力回路80も、導電性機構バー２を少なくとも二次巻線６に近接させて設けている。
【００５３】
このようにすると、二次巻線６と導電性機構バー２とを含む回路ループの面積を小さくしてインダクタンス成分を小さくすることができる。従って、ループ面積を最小にしてインダクタンス成分を小さくすることができ、効果的にインダクタンス成分を抑制することができる。
【００５４】
この場合、本実施例のように、導電性部材81の一部を導電性機構バー２として形成することで、独立した導電性機構バー２の取付けを不要にできる。
【００５５】
本実施例において、受熱部17と連結部23の下面に段差を生じるような場合は、導電性部材81もそれに合わせた段差部を形成して、導電性部材81が受熱部17および連結部23の何れにも電気的に接触するようにすることが好ましい。
【００５６】
なお、本発明は上記実施例に限定されるものではなく、本発明の要旨の範囲において種々の変形実施が可能である。出力回路の回路形式は特に限定されるものではなく、当該出力回路を構成する回路素子も、整流ダイオード等の整流素子に限定されるものではない。また、電源装置の構成として、フルブリッジコンバータ回路を利用したものでもよい。
【図面の簡単な説明】
【００５７】
【図１】本発明の第１実施例における出力回路構造を適用したハーフブリッジコンバータ回路を示す回路図である。
【図２】同上、図１の出力回路部分を装置した状態を模式的に示す平面図である。
【図３】本発明の第２実施例における出力回路構造を適用したハーフブリッジコンバータ回路を示す回路図である。
【図４】同上、図３の出力回路部分を装置した状態を模式的に示す斜視図である。
【図５】同上、図３の出力回路部分を装置した状態を模式的に示す要部の分解斜視図である。
【図６】従来例におけるハーフブリッジコンバータ回路を示す回路図である。
【図７】同上、図６のインダクタンス成分を考慮した等価回路を示す回路図である。
【図８】同上、図６の出力回路部分を装置した状態の機構を示す斜視図である。
【図９】同上、図６に示す回路各部の動作波形図である。
【図１０】従来例におけるインダクタンス成分の抑制を図ったハーフブリッジコンバータ回路を示す回路図である。
【図１１】同上、図１０のインダクタンス成分を考慮した等価回路を示す回路図である。
【図１２】同上、図１０の出力回路部分を装置した状態の機構を示す平面図である。
【符号の説明】
【００５８】
１，80  出力回路
２  導電性機構バー（短絡線路）
４  トランス
５  一次巻線
６  二次巻線
７  整流ダイオード（第１の整流部）
８  整流ダイオード（第２の整流部）
50  線路部分
51  切断部
81  導電性部材
【図１】
2008236837.tif 000005
【図２】
2008236837.tif 000006
【図３】
2008236837.tif 000007
【図４】
2008236837.tif 000008
【図５】
2008236837.tif 000009
【図６】
2008236837.tif 000010
【図７】
2008236837.tif 000011
【図８】
2008236837.tif 000012
【図９】
2008236837.tif 000013
【図１０】
2008236837.tif 000014
【図１１】
2008236837.tif 000015
【図１２】
2008236837.tif 000016